(57)【要約】【課題】記録密度を高めた磁気ヘッド装置を提供する。【解決手段】隣接する複数トラックを同時に記録する記録再生ヘッドブロック１８によって磁気テープ１４に対してリニアサーペンタイン方式で記録再生を行う。このヘッドブロック１８のテープ摺動面には、Ｔｒ１〜Ｔｒ４のような連続した記録パターンとなるように４個の記録ヘッド４ａ〜４ｄをテープ長手方向に且つテープ幅方向に各々ずらして配設する。さらに記録ヘッド４ａ〜４ｄの幅方向寸法よりも広い範囲内で、テープ長手方向に且つテープ幅方向に各々ずらして形成した再生ヘッド５ａ〜５ｄと再生ヘッド５ｅ〜５ｈを配設する。このように構成した記録再生ヘッドブロック１８によって前記隣接する複数のトラックＴｒ１〜Ｔｒ４を同時に記録する。【選択図】図１
2007226921.tif 000002
【特許請求の範囲】
【請求項１】
磁気テープの長手方向に互いに平行する複数のトラックが形成されるリニアテープの記録再生を行う磁気ヘッド装置であって、
隣接する複数のトラックを含む第１の領域内の各トラックに各々対応して配置された記録ヘッドを有した記録ヘッドブロックを備え、
前記記録ヘッドブロックを用いて隣接する複数のトラックを同時に記録することを特徴とする磁気ヘッド装置。
【請求項２】
前記第１の領域よりもトラック幅方向に広い第２の領域内の各トラックに、1トラックにつき複数個各々対応して配置された再生ヘッドを有した再生ヘッドブロックを備えたことを特徴とする請求項１に記載の磁気ヘッド装置。
【請求項３】
磁気テープの長手方向に互いに平行する複数のトラックが形成されるリニアテープの記録再生を行う磁気記録再生装置であって、
隣接する複数のトラックを含む第１の領域内の各トラックに各々対応して配置された記録ヘッドを有した記録ヘッドブロックを備え、
前記記録ヘッドブロックを用いて隣接する複数のトラックを同時に記録することを特徴とする磁気記録再生装置。
【請求項４】
前記第１の領域よりもトラック幅方向に広い第２の領域内の各トラックに、1トラックにつき複数個各々対応して配置された再生ヘッドを有した再生ヘッドブロックを備え、
ノントラッキング方式により再生することを特徴とする請求項３に記載の磁気記録再生装置。
【発明の詳細な説明】
【技術分野】
【０００１】
本発明は、磁気ヘッド装置および磁気記録再生装置並びにこれらを用いたテープドライブ装置に係り、詳しくは、磁気ヘッド（磁気記録ヘッド及び磁気再生ヘッドの両方を含む。以下同じ。）を複数配置すること（以下、「磁気ヘッドのマルチ化」という。）を容易にし、記録密度の高密度化を図る技術に関する。
【背景技術】
【０００２】
近年、磁気ヘッドにおいては、磁気記録媒体の大容量化を図るために、更なる高密度記録が求められ、記録トラックのトラック幅を狭くすること（以下、「狭幅化」という。）に適した磁気ヘッドが採用されるようになってきている。
【０００３】
高密度記録をおこなう事により、より厳密なトラックサーボが必要になるが、磁気テープ自体は基板が可塑性素材を使用している事が一般的であるため長期にわたる保存による変形も含め現在実用化されている例えば下記非特許文献２に示されるＡＩＴ−３フォーマットにおいては、トラック幅５．５μｍに比べテープの曲がりは１５μｍ以上を想定しなければならない。
【０００４】
このため強力なトラックサーボが必須であり、サーボの多少のずれを許容するため所謂ダブルアジマス方式を採用し、隣接トラックにかかっても信号を再生できないよう考慮したシステムが一般的に実用化されていた。
【０００５】
一方、リニアテープシステムにおいて、例えば下記非特許文献１に示されるUlutorium-1フォーマットではサーボ信号をあらかじめ記録しておくことによりトラックピッチを27.5μmとしているが、この延長であるフォーマットにおいては15μm程度のトラックピッチとする事が限界となってきている。
【０００６】
このためリニアサーペンタイン方式においてはオントラック再生システムでは機械的な精度を高め、強力なサーボをかけなければシステムが成立しなくなってきており従来技術の延長では低コストで記録密度の向上を図る事は難しくなっている。
【０００７】
そこで、先にトラックピッチが狭幅になったヘリカルスキャンシステムにおいては、トラック幅の狭幅化に伴い再生サーボをかける事が困難になる対策案として所謂ノントラッキングシステムが提唱され実用化されている。
【０００８】
下記特許文献１、２、３に記載の技術は、ノントラッキング方式の基本になるとも言える特許であり、ヘリカルスキャンにてダブルアジマス記録を行ったトラックに対し、ブロックに分けて識別のためデータを記録をすることにより、目的のトラックを１回で再生しないとしてもデータの再構成が可能になるというものであり従来のトラックサーボで必要とされる１トラック以内のトラック制御に対し４倍以上のマージンを許すことになった。
【０００９】
また下記特許文献４，５に記載のものにおいても、ノントラキング方式において再生を前提とした信号記録方法を提唱するものであった。
【００１０】
また、ノントラッキング技術はヘリカルスキャンに留まらずリニア記録でも使用する可能性の検討がすすめられており、下記特許文献６、７等で示されるようにリニアシステムでの使用も提唱されはじめている。
【００１１】
一方、磁気記録の大容量化、高密度化の実現化のために複数のチャンネルを設けること（以下、「多チャンネル化」という。）が望まれ、磁気ヘッドのマルチ化が求められている。
【００１２】
そして、磁気ヘッドをマルチ化した磁気ヘッド装置としては、たとえば、１つのヘッド基板に磁気シールド層、絶縁層などを介して磁気記録ヘッド素子又は磁気再生ヘッド素子を複数積層して形成したものが提案されている。
【００１３】
すなわち下記特許文献８で提案されている磁気ヘッド装置は、磁気記録ヘッド装置に関するものであり、下記特許文献９で提案されている磁気ヘッド装置は、磁気再生ヘッド装置に関するものである。
【００１４】
いずれの磁気ヘッド装置も、単一の磁気ヘッド素子を有する磁気記録ヘッド層又は磁気再生ヘッド層を非磁性材料からなる基材に複数積層し、すべての磁気ヘッド素子を積層方向に対してほぼ直交する方向（以下、「ヘッド幅方向」という。）にずらして形成したものである。
【００１５】
これにより、磁気ヘッドのマルチ化が可能となり、かつ、ヘッド幅方向において各磁気ヘッドを近接又はオーバーラップさせることができ、記録トラックの狭幅化に対応することができる。
【００１６】
また、従来のリニアシステムにおいては転送レートの観点からマルチトラック化が進められていたが、使用する磁気記録媒体の制約から、隣接したトラックに同時に記録することはなされていなかった。例えば非特許文献１の「p58：12.9  Location of datatrack」に示されるように８個のヘッドをl2（333μm）トラック離して配置しているため、テープに記録する上では１２トラック離れたトラックには同時に記録するものの隣接するトラックに同時に書き込むという動作をおこなっていなかった。
【００１７】
この事は、隣接するトラックに信号を書き込む時は機械的に位置をずらして書き込むという事であるため、トラックの書き込み位置はトラックを８本書き込む動作をしながらも実質的に１２トラック離れたトラックに書き込んでおり、隣接トラックに対しては全く別のタイミングで書き込みを行わなければならない事から機械的な精度に依存するため、トラックピッチを狭くして記録密度を高めたい場合の技術的障害になっていた。
【００１８】
すなわち、図17は従来のリニアテープの記録トラックと磁気ヘッドの配置関係の概略を表し、１…は、磁気テープ２に、テープ走行方向と平行して複数形成されるトラックを示している。
【００１９】
３はヘッドブロックであり、該ヘッドブロック３の磁気テープ２との摺動面には、記録ヘッド４…および再生ヘッド５…が、トラック１，１…に各々対向して配設されている。
【００２０】
記録ヘッド４…は、同一層内では１００μｍ程度、テープ幅方向に離して設けられている。これは、各記録ヘッド４…のコイルやリード線の占有スペースの関係で同一層内では所定間隔（例えば１２トラック分）隔てなければ設けられないという制約があるためである。
【００２１】
図１７では説明上１回の書き込み時のトラックのみ（３本のトラック１，１，１のみ）を図示しているが、実際には、テープ走行によりテープ全長にわたって書き込みがなされテープ終端に達すると、ヘッドブロック３が上又は下に移動して再び書き込み動作が行われ、隙間にトラックを埋めていく（リニアサーペンタイン方式）。
【００２２】
したがって互いに隣接するトラックどうしは別のタイミングで書き込みがなされ機械的精度に依存するので、トラックピッチを狭くして記録密度を高めることができなかった。
【００２３】
また、従来の技術においては、高密度記録をおこなう時には例えば非特許文献２の「Page62.13.1 Track Configuration  Figure40」に示されるように、記録アジマス方向を２方向とする事で再生時同一アジマスのヘッドではデータを読み込めるが別アジマスのヘッドではデータを読み込めないようにする事ができる。
【００２４】
このため例えばガードバンドを設けなくても再生時のトラックずれが生じても同一アジマスのトラックをヘッドがスキャンするまでの実質１トラック分の機械的な誤差が生じても、間違ったトラックの信号を読み出す事をなくす事ができ機械的な精度のマージンを大きく取る事ができたため、非特許文献２で示すフォーマットではトラックピッチを5.5μmと狭くしてもシステムが成り立っていた。
【００２５】
しかしながら、さらに記録密度を高めようとしトラックピッチを狭くしていくと、アジマスを持たせたヘッドを使用してオーバーライト記録をする場合、特定のアジマス角を持つヘッドで記録する際ヘッドギャップから発生するヘッドの走行方向に対する直角方向の漏れ磁束により、先に記録したデータを消去してしまう事がわかり、磁気テープにトラックピッチを小さく配置し高密度記録を目指す際の障害になっていた。
【００２６】
また、記録ヘッドを１つのユニットに対し複数配置し、記録の効率化を図る提案は過去より数多く出されており、例えば、下記特許文献７、１０〜２０等多数見られるが、特許文献１０〜１５以外の提案においては、現在の状況を鑑みた記録密度を想定しておらず、高密度記録よりも、データの記録再生速度を優先する構成となっていてトラック幅１０μm以下の領域で使用する事は実質的に困難と思われる。
【００２７】
一方特許文献１０〜１５に記載のものは主にヘリカルスキャンシステムを想定したマルチヘッドシステムの提案であり、リニア方式特有のシステムを考慮したものは特許文献７であるが、主に再生に関するものであった。
【特許文献１】特許1842057号
【特許文献２】特許1842058号
【特許文献３】特許1842059号
【特許文献４】特開平04-370580号
【特許文献５】特開平05-20788号
【特許文献６】特開平10-283620号
【特許文献７】特開2003-132504号
【特許文献８】特開2002-216313号
【特許文献９】特開2002-157710号
【特許文献１０】特開2005- 11456号
【特許文献１１】特開2004-246949号
【特許文献１２】特開2003-338012号
【特許文献１３】特開2003-123214号
【特許文献１４】特開2002-216313号
【特許文献１５】特開2001-229516号
【特許文献１６】特許3375339号
【特許文献１７】特開平2-42612号
【特許文献１８】特開昭58-220218号
【特許文献１９】特開昭63-106909号
【特許文献２０】特開昭52-128114号
【非特許文献１】Standard ECMA-319、12,7mm-384-Track Magnetic Tape Cartridges-Ultrium-1Format(June 2001）、http://www.ecma-international.org/publications/standards/Ecma-319.htm
【非特許文献２】Standard ECMA-329、8mm Wide Magnetic Tape Cartridges for Information Interchange-Helical Scan Recording-AIT-3 Format(December 2001）、http://www.ecma-international.org/publications/standards/Ecma-329.htm
【発明の開示】
【発明が解決しようとする課題】
【００２８】
上述したようにリニア方式で記録密度を高くしようとする際、従来の延長であるオントラックサーボ方式では限界が見えてきており、更なる高密度化を図る時ヘリカルスキャンで使用されているノントラッキング方式をリニア方式でも使用できないかという検討がなされ始めているが、より記録密度を高くするための検討を進めてきた結果、磁気テープに対しより高密度での記録再生を行うためには、記録を中心にシステムを見直す事により高密度化が可能となる事が分ってきた。
【００２９】
即ち、リニアサーペンタインシステムにおいては、使用するテープ−ヘッドの特性による制約により隣接するトラックに同時に記録できなかったため、マルチトラックでの記録再生は可能であっても、ヘリカルスキャンシステム並みのトラックピッチとする事は実現できていなかった。
【００３０】
また、再生をおこなう際にも、記録後のテープ変形等を考慮するとトラックピッチを小さくして記録密度を上げる事に限界があり、オントラックトラックサーボを実現するためには記録時以上の困難を伴っていた。
【００３１】
これらは、リニアサーペンタインシステムとヘリカルスキャンシステムの根本的な違いに由来しており、ヘリカルスキャンの場合はトラック長さが３０ｍｍ〜１２０ｍｍ程度と比較的短く設定でき、フォーマットの設計により長さをある程度自由に短く設定できるが、リニアサーペンタインシステムの場合はアナロジーとして考えるとヘリカルスキャンシステムのトラック長を無限大にしたようなものである。実際にはトラック長がテープ長を超える事はないが、このような事情のため、理想的にはトラック長とテープ長が一致する事が最も効率良く記録できるため、実記録トラックは長くなってしまう。
【００３２】
このようなリニアサーペンタインシステム独特の事情があるため、隣接トラックに記録を行う場合はある程度余裕を持たないとテープパスの擾乱により本来記録してはならない隣接トラックを上書きしてしまう、あるいは全て上書きするまでは至らなくてもトラック幅の極端に狭い場所が発生してしまう。
【００３３】
本発明は上記課題を解決するものであり、記録密度を高めた磁気ヘッド装置および磁気記録再生装置を提供することを目的としている。
【課題を解決するための手段】
【００３４】
上記課題を解決するための本発明の磁気ヘッド装置は、磁気テープの長手方向に互いに平行する複数のトラックが形成されるリニアテープの記録再生を行う磁気ヘッド装置であって、隣接する複数のトラックを含む第１の領域内の各トラックに各々対応して配置された記録ヘッドを有した記録ヘッドブロックを備え、前記記録ヘッドブロックを用いて隣接する複数のトラックを同時に記録することを特徴としている。
【００３５】
また前記第１の領域よりもトラック幅方向に広い第２の領域内の各トラックに、1トラックにつき複数個各々対応して配置された再生ヘッドを有した再生ヘッドブロックを備えたことを特徴としている。
【００３６】
また本発明の磁気記録再生装置は、磁気テープの長手方向に互いに平行する複数のトラックが形成されるリニアテープの記録再生を行う磁気記録再生装置であって、隣接する複数のトラックを含む第１の領域内の各トラックに各々対応して配置された記録ヘッドを有した記録ヘッドブロックを備え、前記記録ヘッドブロックを用いて隣接する複数のトラックを同時に記録することを特徴としている。
【００３７】
また前記第１の領域よりもトラック幅方向に広い第２の領域内の各トラックに、1トラックにつき複数個各々対応して配置された再生ヘッドを有した再生ヘッドブロックを備え、ノントラッキング方式により再生することを特徴としている。
【００３８】
具体的には、リニアサーペンタイン方式で記録再生システムを作るにあたり、信号再生をノントラッキング方式でおこなうこととし、記録においてはヘッドアジマスを持たせる事無く、記録ヘッドが１チップ上に複数個形成されたヘッドを使用し１方向の記録において、隣接したトラックを同時に複数トラックを記録するシステムとする。これによって、トラック幅を狭くする事が可能となるため、テープ幅方向に存在しうるトラック数を現在の倍以上の密度に高める事ができる。
【００３９】
また、再生をノントラッキング方式でおこなうシステムにおいては、記録ヘッドが１チップ上に複数個形成されたヘッドを使用したリニア方式の記録再生システムにおいても、同時に複数トラックを記録するシステムにおいて、記録の際トラックが上書きされる位置にあたるトラックのトラック幅を、システムへの外乱以上の幅に設定することで全てのトラックの出力を確保するためのものである。
【００４０】
また、テープ状記録媒体に対して信号の記録を行う磁気記録ヘッド装置と、上記テープ状記録媒体を所定の走行経路に沿って走行させるテープ走行手段とを備えたテープドライブ装置において、記録密度を高めようとした場合のボトルネックになるヘッド位置制御のマージンをを大きくできるとともに、再生信号については通常のトラックサーボをかけた場合、トラックピッチが不均一になってしまうため再生時のトラックサーボがかけにくくなると言う問題をノントラッキング方式を採用する事により解消し、トラック幅の不均一性が極端に大きくなった場合でも、十分な再生信号を確保できるようにしたものである。
【発明の効果】
【００４１】
（１）請求項１〜４に記載の発明によれば、トラック幅を狭くして記録密度を高めることができる。
（２）また請求項２，４に記載の発明によれば、リニアテープに幅方向変動があっても、全てのトラックの再生出力を確保することができる。
【発明を実施するための最良の形態】
【００４２】
以下、図面を参照しながら本発明の実施の形態を説明するが、本発明は下記の実施形態例に限定されるものではない。図１は本発明の実施形態例を表し、（ａ）は磁気記録再生装置（リニア方式によるテープドライブ装置）の概略図、（ｂ）は磁気ヘッド装置の取り付け状態を示す概念図である。
【００４３】
図1（ａ）において、磁気記録再生装置１１は、テープカートリッジ１２が装着されるカートリッジ装着部１３と、カートリッジ装着部１３に装着された磁気テープ１４を装置本体１５内に引き出すとともにテープガイド１６により所定の走行経路に沿って磁気テープ１４を搬送する搬送機構（図示省略）と、装置本体１５内にテープリール１９から搬送された磁気テープ１４を巻き取る巻取り部１７と、装置本体１５内に搬送された磁気テープ１４に摺接して磁気信号の記録、または再生を行う記録再生ヘッドブロック１８とを備えている。
【００４４】
磁気テープ１４はテープカートリッジ１２に収納されて運搬されるが、カートリッジ装着部１３に装填されると図１（ａ）に示すテープパスを形成しテープガイド１６を通り記録再生ヘッドブロック１８に適切なテープ−ヘッドコンタクトを示すように摺動せしむ。
【００４５】
記録再生ヘッドブロック１８の磁気テープ摺接面には、図１（ｂ）に示すように、隣接する複数のトラック（図１では４本のトラック）を含む第１の領域内の各トラックに各々対応するように、４個の記録ヘッド４ａ〜４ｄが、テープ幅方向に且つテープ長手方向に各々ずらして連続配設されている（４ｃｈマルチヘッド）。
【００４６】
さらに記録再生ヘッドブロック１８の磁気テープ摺接面には、前記第１の領域よりもトラック幅方向に広い、すなわち４本のトラックを形成する４個の記録ヘッド４ａ〜４ｄのテープ幅方向長さよりも広い第２の領域内の各トラックに、１トラックにつき複数個各々対応するように、８個の再生ヘッド５ａ〜５ｈが配設されている（８ｃｈマルチヘッド）。
【００４７】
この８個の再生ヘッドは、テープ幅方向に且つテープ長手方向に各々ずらして連続配設された４個の再生ヘッド５ａ〜５ｄと、該再生ヘッド５ａ〜５ｄからテープ幅方向に４再生ヘッド分隔てた位置に、テープ幅方向に且つテープ長手方向に各々ずらして連続配設された４個の再生ヘッド５ｅ〜５ｈとから構成されている。
【００４８】
このように、記録ヘッドブロックとしての前記４個の記録ヘッド４ａ〜４ｄおよび再生ヘッドブロックとしての前記８個の再生ヘッド５ａ〜５ｈは、同一の記録再生ヘッドブロック１８に形成される。
【００４９】
図１の装置のドライブ本体はHP製Ultrium 448テープ・ドライブ装置を改造し、ヘッドチップを独自仕様のものとするとともに、ヘッドを位置調整、記録動作を変更できるようにするとともに、信号処理部分以降を独自仕様とすることにより、ランダム系列信号よりエラーレートを測定可能な状態にしたものを使用した。メカニカルな精度の評価については最終的には記録信号を確認し比較しており、問題ない事を確認して使用している。
（実施例１）
前記装置により記録される記録パターンを図１（ｃ）に示す。このように、１回で記録されるトラック数が４トラックのヘッド（記録ヘッド４ａ〜４ｄ）で記録したため、トラックＴｒ１〜Ｔｒ３までは５μｍ幅で記録されているがトラックＴｒ４のみ２０μｍ幅で記録される。
【００５０】
従って、全てのトラックを合計すると３５μｍのトラックピッチに相当するため、１Ｃｈあたりのトラック幅は３５／４＝８．７５μｍ相当となる。すなわち
Ｔｒ１≒Ｔｒ２≒Ｔｒ３＜Ｔｒ４
の関係が成立している。なおヘッド数がｎ個の時は
Ｔｒ１≒Ｔｒ２≒・・・≒Ｔｒ（ｎ−１）＜Ｔｒ（ｎ）
の関係が成立する。
【００５１】
現在のトラック精度ではＬＴＯ（リニアテープオープン）−２のトラックピッチが２０．２μｍであり現在実用化されている精度を維持しながら、平均トラック密度を２倍以上にできることになる。尚記録ヘッド（４ａ〜４ｄ）及び再生ヘッド（５ａ〜５ｈ）に関しては全て単一方向のアジマスのヘッドを使用しており、高密度記録で一般に用いられているダブルアジマス方式ではない。
【００５２】
尚、トラックＴｒ４（記録ヘッド４ｄによる記録トラック）のみ他のトラックよりも幅広とした理由は、いわゆるトラックマージンをとるためのものであり、記録時のスキャンのばらつきによりスキャン間隔が狭くなって、ｎ回目のスキャンによるトラックとｎ＋１回目のスキャンによるトラックとが重なることがあっても、トラックＴｒ４のトラック幅を（トラックマージンの分だけ）大きくとっているため、先にスキャンしたｎ回目のスキャンによるトラックＴｒ４の記録トラックを確保することができる。
【００５３】
本発明の優位性を示すため本発明で実現できるトラック密度と必要なトラッキング精度を次の表１に示す。本願出願時点で最もトラック密度の高いＬＴＯ−２テープを比較例として引用するが、将来ＬＴＯあるいは類似技術のリニアフォーマットのトラック精度が向上した場合、必要トラック精度は向上した分まで使用できるため、平均トラックピッチの優位性は変わらないか、より本発明品の方が優位に立つ。詳細については後述する。
【００５４】
【表１】
2007226921.tif 000003
【００５５】
表１を見ても明らかなように必要トラック精度はほぼ同等であるにも関わらず本発明の装置を使用する事により平均トラックピッチは２．３倍程記録密度を高める事が可能となる。
【００５６】
この時、再生ヘッド５ａ〜５ｈにはＭＲヘッド（磁気抵抗効果型ヘッド）を使用しているため、出力の観点からトラックピッチを５μｍ、ヘッド幅を２．５μｍとしているが、ＧＭＲヘッド（巨大磁気抵抗効果型ヘッド）も含め今回検討したヘッドよりも高出力のヘッドを使用する事により記録密度はもっと向上できる。
【００５７】
後述するヘリカルスキャン用ヘッドと同じトラック幅のものを使用すれば、記録時
（３μｍ×３ｃｈ）＋２０μｍ＝２９μｍ、
２９μｍ÷４ｃｈ＝７．２５μｍ（１ｃｈあたりのトラック幅）
とする事が可能となり、トラック制御の精度が同じであっても約２．８倍の高密度化が可能になるため、再生にＧＭＲヘッド等を使用しより狭トラック時においても十分な再生出力を得る事ができる高密度記録を行う際、より有用になる技術である。尚ＭＲヘッド、ＧＭＲヘッドは記録ヘッドとしては使用できないので、記録についてはインダクティブヘッドを使用している。
【００５８】
また、今回はあくまでも試作として検討を行ったため１つのヘッドチップに４つの連続トラックを形成したマルチヘッドを使用したが、例えば１つのヘッドチップに８つのヘッドを形成する事が可能であれば計算上は（５μｍ×７）＋（２０μｍ×１）＝５５μｍ／８ｃｈとなるため平均トラックピッチは６．８７５μｍとなり、このため現在実用化されているサーボ技術を使用してもさらに約１．３倍の高密度記録が可能となるため現在と同じサーボ技術を使用しても約３倍のトラック密度を達成できる。さらに高出力なＧＭＲヘッドを使用した時はさらに高いトラック密度を達成できるため、より多チャンネルヘッドの実用、ヘッドの高出力化の実用により本発明を使用した場合、より恩恵を受けることになる事を示しておく。
【００５９】
また、このような構成であれば、４つの連続した隣接トラックを記録できるヘッドを従来のリニアサーペンタイン方式と同じように数トラック離して作ることもでき、この構成であれば、４連続トラック×２構成であれば最短記録波長とテープ送り速度が同じであっても従来と同じ転送レートにする事ができ、現在と同じように４連続トラック×８構成にする事ができれば現在の４倍まで転送速度を高くする事が可能となる。
【００６０】
これまで記録した信号を再生するためには、ＭＲヘッドを使用したノントラッキングシステムを使用しており、基本的な構造は特許文献７で示された再生システムと同等の再生システムを使用している。
【００６１】
ここで、特許文献７で示された再生システムとの差異は１ｃｈ分のトラック幅が広いため今回提案する装置ではトラックサーボのコントロール範囲を考慮し３５μｍ±２０μｍ＋マージン５μｍ＝８０μｍ幅の再生が必要になるため１６個のヘッドチップを５μｍずつずらしてマウントすることにより対応幅全域に対応させた。実際には再生に８ｃｈヘッドを隣接させて２つマウントして１６ｃｈ分のトラックを形成しているが、理想的には１つのヘッドチップで形成した方が良いのはもちろんである。
【００６２】
逆に例えば１つのヘッドチップに４ｃｈのヘッドを実装したヘッドを４つマウントしても良いし、例えば１つのヘッドチップに２０ｃｈのヘッドを形成するなど１６ｃｈ以上の幅を形成し対応するトラック幅がこの場合８０μｍになっても本質が変わらないのは自明である。
【００６３】
また、ヘッド数を少なくするため、再生の時１パスでスキャンするのではなく、位置をずらして、２回以上スキャンすることにより信号を再形成する事も可能であり、ノントラッキグ技術を用いる事以外に再生の形態が本発明に影響を与えない事を付記する。
【００６４】
本実施例では図２に示すように、再生ヘッドピッチＨｐを記録トラックピッチＴｐの１／２とし、再生ヘッド幅Ｈｗを記録トラックピッチＴｐの１／２以下としている。
【００６５】
図２は本実施例の記録ヘッドで記録された記録トラックＴｒと、再生ヘッド５の位置関係を表し、（ａ）は再生ヘッド幅ＨｗをＴｐ／２とした場合、（ｂ）は再生ヘッド幅Ｈｗn1をＴｐ／２より狭くした場合、（ｃ）は再生ヘッド幅Ｈｗn2をＴｐ／２よりもっと狭くした場合を各々示している。
【００６６】
図２のように記録トラックＴｒのトラック幅が標準幅Ｔｗである場合は、再生ヘッド幅がＨｗ，Ｈｗn1，Ｈｗn2のいずれの場合であっても、再生時に再生ヘッド５が、隣接するトラックに食い込むことはない。
【００６７】
しかし図３に示すように記録トラックＴｒのトラック幅が、標準幅Ｔｗよりも狭い幅Ｔｗn1又はもっと狭い幅Ｔｗn2になった場合は、図中「ＮＧ」と記載した箇所で、再生時に再生ヘッド５が、隣接するトラックに食い込む。
【００６８】
すなわち図３（ａ）の再生ヘッド幅Ｈｗ＝Ｔｐ／２の場合は２回のスキャンとも隣接トラックに食い込んでしまう。しかし図３（ｂ）の再生ヘッド幅Ｈｗn1＝Ｔｐ／２より狭い場合、および図３（ｃ）の再生ヘッド幅Ｈｗn2＝Ｔｐ／２よりもっと狭い場合は、少なくともどちら１回のスキャンにおいて隣接トラックに食い込まない。
【００６９】
したがって再生ヘッド幅はＴｐ／２よりも狭いほど、記録トラックが狭くなったり再生スキャンピッチ間隔が広がったりしても再生が可能になる。
（実施例２）
次に本発明の記録ヘッドブロックを構成する、例えば前記４個の記録ヘッド４ａ〜４ｄの記録トラック幅を全て同一とした実施例２を図４とともに説明する。図４（ａ）は前記図１（ｂ）の記録ヘッド４ｄの記録トラック幅を、記録ヘッド４ａ〜４ｃの記録トラック幅と同一に構成し、その他再生ヘッド５ａ〜５ｈを図１（ｂ）と同一に構成した記録再生ヘッドブロック２８と、磁気テープ１４の位置関係を示している。
【００７０】
尚記録ヘッド４ａ〜４ｄ及び再生ヘッド５ａ〜５ｈに関しては全て単一方向のアジマスのヘッドを使用しており、高密度記録で一般に用いられているダブルアジマス方式ではない。ドライブ本体そのものは実施例１（図１（ａ））と同じものを使用しているがヘッドユニットのみを図４（ａ）のように変更している。
【００７１】
本実施例の場合は記録時のトラックパーターン幅は全て５μｍであるが、図４（ｂ）の記録パターンに示すように、テープ送りにより最終トラックと次のトラックの間に１５μｍの隙間を作るため、所謂ガードバンド（Ｇ）ができるのと同じ状態となる。
【００７２】
このガードバンドという考え方は古くからあり例えばＶＨＳフォーマット（ＩＥＣ６０７７４−１）でもトラックとトラックの間にガードバンドが出現するが、本発明での特徴的なパターンは従来フォーマットではガードバンドが出現するにしても各トラック対称に出現していて、アンバランスな出方はしていなかった。
【００７３】
すなわちトラックサーボを行うという事を前提とすると、ヘリカルスキャンの場合はテープ送り速度の観点から記録トラックと記録トラックの間のガードバンドは１つのトラックに対し全てのトラックに対し対称に形成するか、非対称であるにしても略対称の範囲に留めなければならない。
【００７４】
また、リニアフォーマットで使用するにしても事情は全く同じでありガードバンドの出現が全てのトラックに対し略対称になっていないとトラックをトレースする事が不可能であり、元の信号を再現できなくなってしまっていたが、本発明に於いてはガードバンドの発生が数トラックおきに発生する事が特徴的であり、各トラックに着目した場合略対称なトラックと非対称なトラックが混在するというものであり、ノントラッキング再生と併用しないと元のデータを再現できない事が大きな特徴であるため、当時の技術では予見できなかった内容である。
【００７５】
ここで、記録時のトラックに無信号の部分が発生する事以外は先の実施例１と同等の効果となる。本実施例の、図４（ｂ）に示す記録パターンのように、１回で記録されるトラック数が４トラックの場合、Ｔｒ１〜Ｔｒ４までは５μｍで記録されているが次に出現するＴｒ１まで未記録部分：ガードバンド（Ｇ）が１５μｍ存在するため、実質的なトラックの合計は、
（５μｍ×４Ｔｒ）＋未記録部１５μｍ＝３５μｍ
のトラックピッチに相当するため、１Ｃｈあたりの平均的なトラック幅は、
３５÷４＝８．７５μｍ
相当となる。
【００７６】
これはｎトラックの信号を記録したとする場合、ヘッドユニットの偏移量Ｍｈは、
Ｔｒ１≒Ｔｒ２≒・・・≒Ｔｒ（ｎ）
Ｍｈ＝Ｔｒ１＋Ｔｒ２＋・・・Ｔｒ（ｎ）＋Ｇ
と表す事ができる。
【００７７】
尚現在実用化されているリニア方式の書き込み時のトラックサーボ技術を使用するとＬＴＯ−２のトラックピッチが２０．２μｍであることから、現在実用化されている書き込み時のトラックサーボ技術を使用すれば、平均トラック密度を２倍以上にできることになり将来的にも優位性は変わらない事がわかる。
【００７８】
本発明の優位性を示すため、本発明で実現できるトラック密度と必要なトラッキング精度を次の表２に示す。本願出願時点で最もトラック密度の高いＬＴＯ−２テープを比較例として引用する。フォーマット上実施例１と同じ密度に設定しているため、数値上の記録密度は実施例２は実施例１と同等の数値となる。
【００７９】
【表２】
2007226921.tif 000004
【００８０】
表２を見て明らかなように必要トラック精度はほぼ同等であるにも関わらず本発明の装置を使用する事により平均トラックピッチは２．３倍程記録密度を高める事が可能となる。
【００８１】
この時、再生ヘッド５ａ〜５ｈにはＭＲヘッドを使用しているため、出力の観点からトラックピッチを５μｍ、ヘッド幅を２．５μｍとしているが、ＧＭＲヘッドも含め今回検討したヘッドよりも高出力のヘッドを使用する事により記録密度はもっと向上できる。
【００８２】
また、今回は試作として１つのヘッドチップに４つのトラックを形成したマルチヘッドを使用したが、例えば１つのヘッドチップに８つのヘッドを形成する事が可能であれば計算上は、
（５μｍ×８）＋（１５μｍ×１）＝５５μｍ／８ｃｈ
となるため、平均トラックピッチは６．８７５μｍとなり、現在実用化されているサーボ技術を使用してもさらに約１．３倍の高密度記録が可能となり、これによって現在と同じサーボ技術を使用しても約３倍のトラック密度を達成できる。
【００８３】
さらに高出力なＧＭＲヘッドを使用した時はさらに高いトラック密度を達成できるため、より多チャンネルヘッドの実用、ヘッドの高出力化の実用により本発明を使用した場合、より恩恵を受けることになる。
【００８４】
これまで記録した信号を再生するためには、ＭＲヘッドを使用したノントラッキングシステムを使用しており、基本的な構造は特許文献７で示された再生システムと同等の再生システムを使用している。
【００８５】
以上のように実施例１と実施例２では記録密度と記録時のサーボ精度についてのみ比較をすれば同等になるが、実施例２の方がヘッドチップを形成する際シンメトリックな構成とすることができる、ヘッドチップを形成する幅自体の長さは短くできるので、ヘッドを製造する点では工程を簡略化できる可能性が高いためコストを考慮した場合実施例２の方が望ましいが、発明の本質においては実施例１と２では大きくは違わない。
【００８６】
また、トラックの余分な送り量がどの程度で最適となるかを考察する。実施例ではトラックＴｒ１〜Ｔｒ４の幅が５μｍで余分な送り量が１５μｍであったが、記録密度を考慮すると余分な送り量は少ない方が良い事は自明である。従って余分な送り量は概ね記録トラックの１／２以上あれば十分であると思われる。
【００８７】
一方実施例で１５μｍにしなければならないという制約は、トラックの位置調整の精度により決まり本実施例の場合はトータルで２０μｍが限度であったための制約となってしまっている。従って調整のマージンを考慮すると上限は不要であるが、記録密度を向上させるという意味ではこの場合は、
５μｍ×４Ｔｒ＋マージン≦２０μｍ×４Ｔｒ
ということであるので６０μｍ以下にするべきであろう。
【００８８】
この事は機械的な調整限界をｘμｍとしたとき１つのヘッドチップに搭載するヘッド数がｎ個でありそれぞれの記録幅がｙμｍとした時の限界マージンをＥμｍとするとき、
Ｅ＝（ｘ−ｙ）×ｎ  μｍ・・・（式１）
である事を示している。
【００８９】
ここで、実施例２では各トラックの幅を略同一としたが、前項での定義を検討すると、例えばトラックがｎ個ある場合、ｎ番目のトラックを形成するためのヘッド幅は前項で述べた
Ｔｒ（ｎ）＝ｘ＋ｙ  μｍ・・・（式２）
まで許容される事となりここまでが略同一の定義となる。ｎ番目のトラックを形成するためのヘッド幅が（式２）の関係を満たすとき実施例２は実施例１と等価となる。
【００９０】
次に実施例１〜２を従来の方法で記録再生できるようにして調整をしていったものと、本発明で調整する方式とを比較してドライブの調整による出力ばらつきの度合いを調査した結果を述べる。
（比較例１）
今回は比較例とするため、現在リニアサーペンタイン方式で使用されるLTO-1ドライブを改造し、アジマス角の異なるヘッドを装着した所謂ダブルアジマス方式を使用して、より調整マージンを高める事が可能であろうシステムを使用している。
【００９１】
記録密度を高密度にする事を念頭においたため、アジマスの異なるヘッドで隣接するトラックを記録するようにしているため、トラックパターンイメージはヘリカルスキャン方式のトラックパターンをリニア方式にそのまま拡張したのと同じである。
【００９２】
そこで、記録ヘッドとして２２μｍのトラックパターンのヘッドを使用し取り付け高さを調整をしエラーレートの様子を見た。その結果を図５に示す。
【００９３】
今回の試験ではヘッド高さを調整すると一点のみで最適になる点が現れ、それ以外のポイントではエラーレートが悪くなる。このためヘッドの高さ調整についてはエラーレートの許容できる範囲で最適になる範囲が調整マージンとなる。
【００９４】
一般的には製品のマージンも考慮するとエラーレート初期値は１×１０-3以下に調整される事が望ましい。図５の例では調整誤差の範囲は概ね２０μｍと想定される。なお、比較例ではアジマスの異なるヘッドを使用したため、１ｃｈと２ｃｈで調整の最適点の現れ方が異なり結果的に調整範囲が決まるが、現在リニアサーペンタイン方式で使用されているノンアジマスヘッドを使用した場合は概ね今回図示した最適点の範囲内でのみ使用可能となる。
【００９５】
実施例１で前項と同じ測定方法で測定した結果を図６に示し、実施例２で同様な検討を行った結果を図７に示す。この結果をみて分る通り、実施例１，２においては最適調整ポイントが安定する幅が広く存在し、それぞれの領域を超えたところでｃｈ１またはｃｈ４のどちらかからエラーレートが劣化しはじめる。
【００９６】
この事は本発明を適用した場合の方が位置調整の安定領域が広く存在する事を意味する。但し、本発明を適用した場合は平均トラックピッチが短くなる事から、許容範囲を含めた使用可能領域は概ね２０μｍとなるため、調整誤差範囲は変わらない事になるが平均トラック幅が狭くなり記録密度が向上しているにも関わらず調整誤差範囲は同等なので、本発明の効果がある事が分かる。
（比較例２）
比較例１のシステムをそのまま使用しトラックパターンのみ１０μｍとして高密度記録が可能かの比較テストをおこなった。その結果、図８に示す通り調整可能な全ての領域でエラーレートが許容できる範囲を逸脱していたため、比較できなかった。
【００９７】
これは走行時のトラックパターンを見ると１０μｍのトラックピッチで記録しているにも関わらず、周期的に５μｍ程度までトラックが細くなる部分が出てくる事からも、現在の機械的な調整技術を持って記録密度を向上させるためには、本発明が有効である事がわかる。
【００９８】
前記図５〜図８に示す比較例１，２、および実施例１，２の調整可能範囲と記録密度（ＴＰＩ）をまとめると次の表３のとおりである。
【００９９】
【表３】
2007226921.tif 000005
【０１００】
表３に示す通り、本発明によるシステムでは、比較例１に対し記録密度が倍以上高いにも関わらず調整可能範囲をより広く確保する事ができる。また、比較例２のように記録密度を同等程度まで高めようとする場合は調整可能範囲そのものが存在しない事になってしまうため実用化はできなかった。
（記録ヘッドブロックの具体例）
本発明の記録ヘッドブロックは、ｎ個のヘッドを有したマルチヘッドをｍ個備えて構成され、ヘッドの個数ｎは２以上であり、マルチヘッドの個数ｍは１以上である。
【０１０１】
図９〜図１３は記録ヘッドブロックの構成と記録トラックのようすを表しており、図９は４個の記録ヘッド４をテープ幅方向に、且つテープ長手方向にずらして形成した４チャンネルマルチヘッド３０を、テープ長手方向に各々所定距離ずらし、且つ隣接記録トラックが連続するように４個配設して記録ヘッドブロックを構成した例である。
【０１０２】
したがって図９の記録ヘッドブロックを用いれば１６ｃｈ記録トラックが形成される。
【０１０３】
各４チャンネルマルチヘッド３０の最後のチャンネルのトラック幅は太くしておく（図示Ｗｉｄｅ）必要があるが、ヘリカルスキャン方式に比べてヘッド自体が動かない、ヘッドの位置制御が容易である等の点から、太くする量を少なく（またはゼロに）して良い。
【０１０４】
すなわち例えば図１０の（ａ）のｃｈ４だけ太い標準タイプ（３０ａ）や、（ｂ）の全ｃｈ同じ太さの最終記録タイプ（３０ｂ）や、（ｃ）のｃｈ１とｃｈ４が太い両側下地タイプ（３０ｃ）等である。
【０１０５】
したがって図９の記録ヘッドブロックにおいては、１番目〜３番目の４チャンネルマルチヘッド３０を標準タイプ（３０ａ）とし、最後の（４番目の）４チャンネルマルチヘッド３０のみを最終記録タイプ（３０ｂ）で構成している。
【０１０６】
また、例えば１６ｃｈ記録トラックを形成するために、図１１のように、図１０の各タイプの４チャンネルマルチヘッド３０ａ〜３０ｃを組み合わせて記録ヘッドブロックを構成しても良い。
【０１０７】
すなわち、標準タイプの４チャンネルマルチヘッド３０ａと両側下地タイプの４チャンネルマルチヘッド３０ｃを、同一層内に４チャンネル分テープ幅方向にずらして形成して８チャンネルマルチヘッド４１を構成し、前記４チャンネルマルチヘッド３０ａからテープ長手方向に所定距離ずれ、且つテープ幅方向に４チャンネル分ずらして形成した最終記録タイプの４チャンネルマルチヘッド３０ｂと、同じく最終記録タイプの４チャンネルマルチヘッド３０ｂとを、同一層内に４チャンネル分テープ幅方向にずらして形成して８チャンネルマルチヘッド４２を構成している。
【０１０８】
また前記図９に示す１６ｃｈ記録トラック形成可能な記録ヘッドブロックを、図１２のようにテープ幅方向に２段形成して１つの記録ヘッドブロックを構成し、１回のスキャンで３２ｃｈ記録トラックを形成するようにしても良い。
【０１０９】
図１２において５１は、図１０で述べた標準タイプの４チャンネルマルチヘッド３０ａと、両側下地タイプの４チャンネルマルチヘッド３０ｃを、同一層内に１６チャネル分テープ幅方向にずらして形成した８チャンネルマルチヘッドである。
【０１１０】
５２は、前記４チャンネルマルチヘッド３０ａからテープ長手方向に所定距離ずれ、且つテープ幅方向に４チャンネル分ずらして形成した標準タイプの４チャンネルマルチヘッド３０ａと、同じく標準タイプの４チャンネルマルチヘッド３０ａとを、同一層内に１６チャンネル分テープ幅方向にずらして形成した８チャンネルマルチヘッドである。
【０１１１】
５３は、前記８チャンネルマルチヘッド５２の４チャンネルマルチヘッド３０ａからテープ長手方向に所定距離ずれ、且つテープ幅方向に４チャンネル分ずらして形成した標準タイプの４チャンネルマルチヘッド３０ａと、同じく標準タイプの４チャンネルマルチヘッド３０ａとを、同一層内に１６チャンネル分テープ幅方向にずらして形成した８チャンネルマルチヘッドである。
【０１１２】
５４は、前記８チャンネルマルチヘッド５３の４チャンネルマルチヘッド３０ａからテープ長手方向に所定距離ずれ、且つテープ幅方向に４チャンネル分ずらして形成した最終記録タイプの４チャンネルマルチヘッド３０ｂと、同じく最終記録タイプの４チャンネルマルチヘッド３０ｂとを、同一層内に１６チャンネル分テープ幅方向にずらして形成した８チャンネルマルチヘッドである。
【０１１３】
そしてこれら４個の８チャンネルマルチヘッド５１〜５４により記録ヘッドブロックを構成している。
【０１１４】
図１２のように同一層内の２つのチャンネルの記録ヘッド４，４は互いに１６チャンネル離れているため、例えばトラックピッチＴｐを５μｍとすると８０μｍ以上の形成間隔となるので、各記録ヘッド４のコイルやリード線の占有スペースの問題は生じない。
【０１１５】
また本発明の記録ヘッドブロックは、図１３のように正逆両方向記録用ヘッドとして構成しても良い。図１３において、標準タイプの４チャンネルマルチヘッド３０ａは、テープ長手方向に所定距離ずらし、且つ記録トラックが連続するようにテープ幅方向にずらして、３個配設され、３番目の４チャンネルマルチヘッド３０ａからテープ長手方向に所定距離ずれて、且つ記録トラックが連続するようにテープ幅方向にずらして、４番目の４チャンネルマルチヘッド３０ａａが配設されている。
【０１１６】
この４チャンネルマルチヘッド３０ａａは、図１０（ａ）で述べた標準タイプの４チャンネルマルチヘッド３０ａのｃｈ４のトラック幅を、よりワイド幅のＶｅｒｙＷｉｄｅ記録トラック幅に形成したものである。
【０１１７】
６０ａａは、１番目の４チャンネルマルチヘッド３０ａと同一トラック位置でテープ長手方向に所定距離隔てた部位に形成された４チャンネルマルチヘッドであり、１ｃｈ目をよりワイド幅のＶｅｒｙＷｉｄｅ記録トラック幅とし、２ｃｈ目〜４ｃｈ目を標準記録トラック幅とした４個の記録ヘッド４…を、テープ長手方向に所定距離ずらし、且つ記録トラックが連続するようにテープ幅方向にずらして形成している。
【０１１８】
６０ａは、１ｃｈ目をＷｉｄｅ記録トラック幅とし、２ｃｈ目〜４ｃｈ目を標準記録トラック幅とした４個の記録ヘッド４…を、テープ長手方向に所定距離ずらし、且つ記録トラックが連続するようにテープ幅方向にずらして形成した４チャンネルマルチヘッドである。
【０１１９】
この４チャンネルマルチヘッド６０ａは、前記２番目および３番目の４チャンネルマルチヘッド３０ａ，３０ａと、４番目の４チャンネルマルチヘッド３０ａａに対して、各々同一トラック位置でテープ長手方向に所定距離隔てた部位に、各々形成されている。
【０１２０】
前記３個の４チャンネルマルチヘッド３０ａおよび１個の４チャンネルマルチヘッド３０ａａにおける、各記録ヘッド４…は例えば４μｍ幅のヘッドを使用し、標準記録トラック幅は２μｍに、Ｗｉｄｅ記録トラック幅は３μｍに、ＶｅｒｙＷｉｄｅ記録トラック幅は４μｍに各々構成され、磁気テープ１４が図示矢印Ｆの方向に進行するときに使用する。
【０１２１】
前記１個の４チャンネルマルチヘッド６０ａａおよび３個の４チャンネルマルチヘッド６０ａにおける、各記録ヘッド４…は例えば３μｍ幅のヘッドを使用し、標準記録トラック幅は２μｍに、Ｗｉｄｅ記録トラック幅は２．５μｍに、ＶｅｒｙＷｉｄｅ記録トラック幅は３μｍに各々構成され、磁気テープ１４が図示矢印Ｒの方向に進行するときに使用する。
（再生ヘッドブロックの具体例）
図１４〜図１６は、再生ヘッドブロックの構成と記録トラックのようすを表しており、記録トラックは図９で述べた１６ｃｈ記録トラックを示している。
【０１２２】
図１４は、４個の再生ヘッド５…をテープ幅方向、且つテープ長手方向にずらして形成した４チャンネルマルチヘッド７０を、１６ｃｈ記録トラック幅より広い幅の範囲で、テープ長手方向に所定距離ずらし、且つテープ幅方向に順次隣接するようにずらして９個配設し、再生ヘッドブロックを構成した例である。
【０１２３】
図１４の例では、１６ｃｈ記録トラックに対して３６ｃｈの再生ヘッド５が配設されることになる。これは、Ｗｉｄｅトラック、記録トラックの誤差、再生ヘッドの誤差等を考慮すると、仮に１６ｃｈ記録トラックの幅と同一幅の範囲内で４チャンネルマルチヘッド７０を８個設け、再生ヘッド５を３２ｃｈ配設したのでは、全トラックの再生出力を確保することができない恐れがあるためである。
【０１２４】
したがって、１６ｃｈ記録トラック幅からはみ出るように、また４チャンネルマルチヘッド７０のテープ幅方向間隔を重ねるように、８＋α個の４チャンネルマルチヘッド７０を配設するものである。
【０１２５】
また図１５は、１６ｃｈ記録トラックに対して４０ｃｈの再生ヘッド５を配設した例である。図１５において８１は、図１４で述べた４チャンネルマルチヘッド７０と同じく４チャンネルマルチヘッド７０とを、同一層内に、４チャンネルマルチヘッド７０のテープ幅方向寸法の５倍の距離分ずらして形成した８チャンネルマルチヘッドである。
【０１２６】
８チャンネルマルチヘッド８１からテープ長手方向に各々所定距離隔て、且つ４チャンネルマルチヘッド７０のテープ幅方向寸法分テープ幅方向下方に順次ずらして、前記８チャンネルマルチヘッド８１と同様に構成された８チャンネルマルチヘッド８２〜８５が各々配設されている。
【０１２７】
再生ヘッド５は、記録ヘッド４に比べて同一層内の複数ｃｈ間のピッチが短くても何ら問題はなく、図１５の場合、同一の８チャンネルマルチヘッド内の２つの４チャンネルマルチヘッド７０間の間隔は、基本トラックピッチを５μｍとすると５０μｍとなる。
【０１２８】
また図１６は、１６ｃｈ記録トラックに対して１２チャンネルマルチヘッドを３個用いて、３６ｃｈの再生ヘッド５を配設した例である。図１６において９１は、図１４で述べた４チャンネルマルチヘッド７０を３個、同一層内に、４チャンネルマルチヘッド７０のテープ幅方向寸法の３倍の距離分各々ずらして形成した１２チャンネルマルチヘッドである。
【０１２９】
１２チャンネルマルチヘッド９１からテープ長手方向に各々所定距離隔て、且つ４チャンネルマルチヘッド７０のテープ幅方向寸法分テープ幅方向下方に順次ずらして、前記１２チャンネルマルチヘッド９１と同様に構成された１２チャンネルマルチヘッド９２、９３が各々配設されている。
【０１３０】
図１６の場合、同一の１２チャンネルマルチヘッド内の３つの４チャンネルマルチヘッド７０間の間隔は、基本トラックピッチを５μｍとすると２５μｍとなる。
【０１３１】
このように同一層内の４チャンネルマルチヘッド７０間距離を短くすることにより、再生ヘッドブロックとしてのテープ長手方向寸法を著しく短くすることができる。
【０１３２】
以上のように、リニアサーペンタインシステムを使用した磁気テープに信号を記録再生する磁気ヘッド装置であり再生はノントラッキング方式を使用する磁気ヘッド装置および磁気記録再生装置において、インダクティブヘッドを使用し、複数トラックを形成した記録ヘッドを使用し、複数記録ヘッドのうち最後部に当るヘッドの幅が先行するヘッド幅よりも広くその時のヘッド送り量は略ヘッド幅トータルに相当する磁気ヘッドシステム、あるいはインダクティブヘッドを使用し、複数トラックを形成した記録ヘッドを使用し、複数記録ヘッドは略同一幅であるにも関わらずヘッド送り量はヘッド幅トータル量よりも大きくするように構成したので、従来技術と同等の機械的位置決め精度で調整をおこなったとしても磁気記録の記録密度を向上することが可能であり、より高密度記録の実現に寄与する事が可能となる。
【図面の簡単な説明】
【０１３３】
【図１】本発明の一実施形態例を表し、（ａ）は磁気記録再生装置の概略構成図、（ｂ）は記録再生ヘッドブロックの取り付け状態を示す説明図、（ｃ）は記録パターンの説明図。
【図２】本発明の実施形態例における記録トラックと再生ヘッドの位置関係を表す説明図。
【図３】本発明の実施形態例における記録トラックと再生ヘッドの位置関係を表し、記録トラック幅が変動したときの説明図。
【図４】本発明の他の実施形態例を表し、（ａ）は記録再生ヘッドブロックの取り付け状態を示す説明図、（ｂ）は記録パターンの説明図。
【図５】リニア方式を使用した従来技術によるヘッド調整とエラーレートの関係を示す特性図。
【図６】本発明の第１の実施形態によるヘッド調整とエラーレートの関係を示す特性図。
【図７】本発明の第２の実施形態によるヘッド調整とエラーレートの関係を示す特性図。
【図８】従来技術で狭トラック化した場合のヘッド調整とエラーレートの関係を示す特性図。
【図９】本発明の記録ヘッドブロックの具体的な一例を示す構成図。
【図１０】本発明の実施形態例における記録トラック幅を変更した４チャンネルマルチヘッドの例を示す構成図。
【図１１】本発明の記録ヘッドブロックの具体的な他の例を示す構成図。
【図１２】本発明の記録ヘッドブロックの具体的な他の例を示す構成図。
【図１３】本発明の記録ヘッドブロックを正逆両方向記録用として形成した具体的な例を示す構成図。
【図１４】本発明の再生ヘッドブロックの具体的な一例を示す構成図。
【図１５】本発明の再生ヘッドブロックの具体的な他の例を示す構成図。
【図１６】本発明の再生ヘッドブロックの具体的な他の例を示す構成図。
【図１７】従来のリニアテープの記録トラックとヘッドブロックの説明図。
【符号の説明】
【０１３４】
４、４ａ〜４ｄ…記録ヘッド、５、５ａ〜５ｈ…再生ヘッド、１１…磁気記録再生装置、１２…テープカートリッジ、１３…カートリッジ装着部、１４…磁気テープ、１８、２８…記録再生ヘッドブロック、３０，３０ａ〜３０ｃ，３０ａａ，６０ａ，６０ａａ，７０…４チャンネルマルチヘッド、４１，４２，５１〜５４，８１〜８５…８チャンネルマルチヘッド、９１〜９３…１２チャンネルマルチヘッド。
【図１】
2007226921.tif 000006
【図２】
2007226921.tif 000007
【図３】
2007226921.tif 000008
【図４】
2007226921.tif 000009
【図５】
2007226921.tif 000010
【図６】
2007226921.tif 000011
【図７】
2007226921.tif 000012
【図８】
2007226921.tif 000013
【図９】
2007226921.tif 000014
【図１０】
2007226921.tif 000015
【図１１】
2007226921.tif 000016
【図１２】
2007226921.tif 000017
【図１３】
2007226921.tif 000018
【図１４】
2007226921.tif 000019
【図１５】
2007226921.tif 000020
【図１６】
2007226921.tif 000021
【図１７】
2007226921.tif 000022